(57)【要約】【課題】  イソプロピルアルコールを代替し、しかも冬季における凍結、夏季における高温などでその機能が失われることなく、印刷時に安定した性能を持つ湿し水を提供する。【解決手段】    式（１）で表される化合物を含有することを特徴とする平版印刷用湿し水。  ＲＯ［（ＣＨ２ＣＨ２ＣＨ２ＣＨ２Ｏ）n（ＣＨ２ＣＨ２Ｏ）m］ｌＨ    （１）（式中、Ｒは水酸基を１〜６個有する化合物の残基で、ｎはオキシテトラメチレン基の平均付加モル数であり、ｍはオキシエチレン基の平均付加モル数であり、ｎは１〜４、ｍは１〜６、ｌは１〜６、オキシテトラメチレン基とオキシエチレン基はランダム状に結合している。）【選択図】  なし【特許請求の範囲】
【請求項１】
式（１）で表される化合物を含有することを特徴とする平版印刷湿し水。
ＲＯ［（ＣＨ２ＣＨ２ＣＨ２ＣＨ２Ｏ）n（ＣＨ２ＣＨ２Ｏ）m］ｌＨ    （１）
（式中、Ｒは水酸基を１〜６個有する化合物の残基で、ｎはオキシテトラメチレン基の平均付加モル数であり、ｍはオキシエチレン基の平均付加モル数であり、ｎは１〜４、ｍは１〜６、ｌは１〜６、オキシテトラメチレン基とオキシエチレン基はランダム状に結合している。）
【発明の詳細な説明】
【技術分野】
【０００１】
本発明は平板印刷用湿し水に関するものである。
【背景技術】
【０００２】
平版印刷は、水とインキの両方を版面に供給して、画像部は着色性のインキを、非画像部は水を選択的に受け入れ、該画像部のインキを、たとえば紙などの基質に転写させることによってなされている。したがって、良い印刷物を得るためには、画像部と背景非画像部との表面の親油および親水性の差が十分に大きく、水およびインキを適用したときに、画像部は十分量のインキを受け付け、非画像部はインキをまったく受け付けないことが必要である。そのために種々の不感脂化の方法がそれぞれの版材および印刷方法に応じて検討されている。
平板印刷方法では、刷版には予め湿し水と称される水を供給させている。この水は非画像部に均一な薄い水膜となっており、この水膜が非画像部へのインキの付着を阻止している。この様な湿し水としては、適度の表面張力を有することが要求され、従来５〜２０重量％濃度のイソプロピルアルコールの水溶液が使用されてきた。
しかしながら、このイソプロピルアルコールは水と蒸発のし易さが異なるために、湿し水のイソプロピルアルコール濃度を一定に保つための特殊な高価な装置が必要である。またイソプロピルアルコールは特有の不快臭があるとともに、毒性の面でも問題があり、労働安全衛生法の有機則の規制を受ける。さらに、引火し易い化合物のため、消防法の危険物に該当し、取り扱いや保管管理に注意が必要で作業環境上好ましくない。
【０００３】
このため、イソプロピルアルコールを含有しない湿し水が望まれていた。これらの目的を達成するために、例えばグリセリン、ソルビトール、３メチルペンタン−１，３，５−トリオールのプロピレンオキシド付加体等の多価アルコールのプロピレンオキシド付加体を含有する湿し水が（特許文献１）に記載されている。これらの湿し水は、単独では１万枚以上印刷するロングラン印刷適性がないため、テトラプロピレングリコールモノメチルエーテル、３−メチル−２−メトキシブタノール、メチルカルビトール等の揮発性を有する有機溶剤を併用する必要があり、安全衛生面で十分とは言いがたい。
一方湿し水は通常の保管条件で、その安定性が失われないものでなければならない。たとえば、冬季における低温下、夏季における高温下での安定性が低下するなどの問題があり、保存条件の管理に多大な負担を要する。
【０００４】
【特許文献１】特開平５−２２１１７９号公報
【発明の開示】
【発明が解決しようとする課題】
【０００５】
本発明の目的は、イソプロピルアルコールを代替し、しかも冬季における凍結、夏季における高温などでその機能が失われることなく、印刷時に安定した性能を持つ湿し水を提供することにある。
【課題を解決するための手段】
【０００６】
すなわち、本発明は、
式（１）で表される化合物を含有することを特徴とする平板印刷用湿し水である。
ＲＯ［（ＣＨ２ＣＨ２ＣＨ２ＣＨ２Ｏ）n（ＣＨ２ＣＨ２Ｏ）m］ｌＨ    （１）
（式中、Ｒは水酸基を１〜６個有する化合物の残基で、ｎはオキシテトラメチレン基の平均付加モル数であり、ｍはオキシエチレン基の平均付加モル数であり、ｎは１〜４、ｍは１〜６、ｌは１〜６、オキシテトラメチレン基とオキシエチレン基はランダム状に結合している。）
【発明の効果】
【０００７】
本発明の平板印刷用湿し水はイソプロピルアルコールを含有しないため、安全衛生面が確保でき、冬季における低温下、夏季における高温下での保存安定性に優れているため、印刷時に安定した性能を提供することができる。
【発明を実施するための最良の形態】
【０００８】
本発明の式（１）で表される化合物において、Ｒは水酸基を１〜６個有する化合物の脱水酸基の残基である。水酸基を１〜６個有する化合物としては、例えば、１価のアルコールとしてメチルアルコール、エチルアルコール、ｎ−プロピルアルコール、イソプロピルアルコール、ブチルアルコール；２価のアルコールとして、エチレングリコール、ジエチレングリコール、トリエチレングリコール、プロピレングリコール、ジプロピレングリコール、トリプロピレングリコール、１，４−ブタンジオール；３価のアルコールとしてグリセリン、トリメチロールプロパン、ヘキサトリオール；４価のアルコールとしてペンタエリスリトール、ソルビタン、メチルグルコシド；６価のアルコールとしてソルビトールなどが挙げられる。好ましくは３〜６価のアルコールである。
【０００９】
これら水酸基を１〜６個有する化合物に付加するオキシテトラメチレン基およびオキシエチレン基はランダム状に結合されており、好適な平板印刷用湿し水の化合物とすることができる。
ｎはオキシテトラメチレン基の平均付加モル数であり、ｎは１〜４であり、好ましくは１〜３である。
ｍはオキシエチレン基の平均付加モル数であり、ｍは１〜６であり、好ましくは２〜４である。
オキシテトラメチレン基とオキシエチレン基を上記の範囲とすることで、安定性の良好な湿し水を得ることができる。
ｌは１〜６であり、好ましくは３〜６である。
また、式（１）で表される化合物のオキシテトラメチレン基およびオキシエチレン基はランダム状で結合している。ポリエーテル部の平均分子量（［（ＣＨ２ＣＨ２ＣＨ２ＣＨ２Ｏ）n（ＣＨ２ＣＨ２Ｏ）m］ｌの合計分子量）は１２００以下が好ましい。また式（１）で表される化合物のポリエーテル部の平均分子量が１２００より大きい場合、水への溶解性が低下する傾向にあり好ましくない。湿し水への添加量は１〜１０重量％が好ましい。
【００１０】
本発明の湿し水には、更にグリコールまたはグリコールエーテル、水溶性高分子化合物、界面活性剤、ｐＨ緩衝剤、防腐剤、防錆剤、着色剤、香料等の成分を必要に応じて添加することができる。
グリコールまたはグリコールエーテルとしては、例えばグリセリン、ポリグリセリン、エチレングリコール、ジエチレングリコール、トリエチレングリコール、ポリエチレングリコール、プロピレングリコール、ポリプロピレングリコール、ヘキシレングリコール、（モノ、ジ、トリ、ポリ）エチレングリコールジメチルエーテル、（モノ、ジ、トリ、ポリ）エチレングリコールモノメチルエーテル、（モノ、ジ、トリ、ポリ）エチレングリコールモノエチルエーテル、（モノ、ジ、トリ、ポリ）エチレングリコールモノブチルエーテル、などが挙げられる。これらのグリコールあるいはグリコールエーテルを添加する場合は、単独でも２種以上の化合物を併用してもよく、平板印刷用湿し水への添加量は、１〜１５重量％が好ましい。
【００１１】
水溶性高分子化合物としては例えば、アラビアガム、デキストリン等の澱粉誘導体、アルギン酸塩、メチルセルロース等の繊維素誘導体およびその変性体等が挙げられる。水溶性高分子化合物を添加する場合は、平板印刷用湿し水への添加量は１〜５重量％が好ましい。
本発明に使用される界面活性剤としては、例えば、アニオン型界面活性剤、非イオン型界面活性剤等が挙げられる。界面活性剤を添加する場合には、平板印刷用湿し水への添加量は０．５〜５重量％が好ましい。
ｐＨ緩衝剤としては、例えば、クエン酸、アスコルビン酸、リンゴ酸、酒石酸、乳酸、酢酸、グルコン酸、ヒドロキシ酢酸、シュウ酸、マロン酸、ｐ−トルエンスルホン酸等が挙げられる。無機酸としては例えばリン酸、硝酸、硫酸、ポリリン酸が挙げられる。更にこれら有機酸又は無機酸のアルカリ金属塩、アルカリ土類金属塩あるいはアンモニウム塩も挙げられる。ｐＨ緩衝剤を添加する場合には、平板印刷用湿し水への添加量は０．１〜２重量％が好ましい。
防腐剤としては、例えば、パラペン（パラオキシ安息香酸エステル）、フェノールまたはその誘導体、ホルマリン、イミダゾール誘導体、四級アンモニウム塩等が挙げられる。
防錆剤としては、例えば、ベンゾトリアゾール、５−メチルベンゾトリアゾール、チオサリチル酸、ベンゾイミダゾールおよびその誘導体等が挙げられる。
本発明の平板印刷用湿し水は、純水によって１００倍に希釈したものを、例えば連続給水型ダールグレン湿し水供給装置を用いて供給し、一般に広く用いられるオフセット輪転機刷版および印刷機を用いて印刷に使用することができる。
【実施例】
【００１２】
表１および表２に示す平板印刷用湿し水を用いて、安定性試験を行った。
表２において、湿し水は水で希釈して合計で１kgに調整した。
安定性試験は表−２の湿し水１ｋｇを−５℃にセットした冷蔵庫、空調のない倉庫、および５０℃にセットした恒温室にそれぞれ６ヶ月間保管し、液状を観察した。その際、安定なものを○、液状に濁り、沈殿がわずかにあったもの△、完全に濁り、沈殿が生じたものを×とした。
【００１３】
【表１】
2005246918.tif 000002
【００１４】
【表２】
2005246918.tif 000003
【００１５】
その結果、本発明例の湿し水は比較例の湿し水と比較して低温および高温安定に優れていることが証明された。